(57)【要約】  本発明は光ファイバ伝送技術の分野に属し、伝送待ちデータを検知し；伝送待ちデータが０の場合、１ビット（ｂｉｔ）のパルス幅を、高レベルである第１の部分と低レベルである後のＭ−１部分を含むＭ部分に符号化させ；伝送待ちデータが１の場合、１ｂｉｔのパルス幅を、高レベルである第１の部分と低レベルである後のＮ−１部分とを含むＮ部分に符号化させ（ただし、上記Ｍと上記Ｎは、互いに異なり、かついずれも２以上の整数である）；符号化されたレベル信号を発信するように構成される光ファイバ伝送用のデータ発信・受信方法、装置及びデバイスを提供する。本発明において、ビット（ｂｉｔ）幅を変化させる符号化方式を用いて伝送待ちの２値データを伝送し、すなわち、２値データの０と１に対して、パルス幅のビット数が同じである場合、異なるデータの桁数で符号化を行うことにより、データ伝送中、連続する二つの２値データの１があることがなく、光ファイバによる低ビットレートのデータ伝送における信号のジッター現象が回避される。【選択図】図１
2014531162.tif 000002
【特許請求の範囲】
【請求項１】
伝送待ちデータを検知するＳ１と、
伝送待ちデータが０の場合、１ビット（ｂｉｔ）のパルス幅を、高レベルである第１の部分と低レベルである後のＭ−１部分を含むＭ部分に符号化させ；伝送待ちデータが１の場合、１ｂｉｔのパルス幅を、高レベルである第１の部分と低レベルである後のＮ−１部分を含むＮ部分に符号化させる（ただし、前記Ｍと前記Ｎは、互いに異なり、かついずれも２以上の整数である）Ｓ２と、
符号化されたレベル信号を発信するＳ３と、
を備えることを特徴とする光ファイバ伝送用のデータ発信方法。
【請求項２】
Ｍ＝２、Ｎ＝３であることが好ましいことを特徴とする請求項１に記載の光ファイバ伝送用のデータ発信方法。
【請求項３】
Ｍ＝３、Ｎ＝２であることが好ましいことを特徴とする請求項１に記載の光ファイバ伝送用のデータ発信方法。
【請求項４】
請求項１〜３のいずれかに記載の光ファイバ伝送用のデータ発信方法で発信されるデータを受信する光ファイバ伝送用のデータ受信方法において、
レベル信号を検知するＳ１と、
現在のレベル信号に１個の高レベルの後で連続するＭ−１個の低レベルが現れると、データ０を受信し、現在のレベル信号に１個の高レベルの後で連続するＮ−１個の低レベルが現れると、データ１を受信する（ただし、前記Ｍと前記Ｎは、互いに異なり、かついずれも２以上の整数である）Ｓ２と、
を備えることを特徴とする光ファイバ伝送用のデータ受信方法。
【請求項５】
伝送待ちデータを検知するためのデータ検知ユニットと、
検知された伝送待ちデータに応じてレベル信号を発信し、伝送待ちデータが０の場合、１ビット（ｂｉｔ）のパルス幅を、レベル信号が高レベルである第１の部分と低レベルである後のＭ−１部分より構成されるＭ部分に符号化させ；伝送待ちデータが１の場合、１ｂｉｔのパルス幅を、レベル信号が高レベルである第１の部分と低レベルであるの後のＮ−１部分より構成されるＮ部分に符号化させる（ただし、前記Ｍと前記Ｎは、互いに異なり、かついずれも２以上の整数である）ためのデータ符号化ユニットと、
符号化されたレベル信号を発信するための発信ユニットと、
を備えることを特徴とする光ファイバ伝送用のデータ発信装置。
【請求項６】
レベル信号を検知するための信号検知ユニットと、
現在のレベル信号に１個の高レベルの後で連続するＭ−１個の低レベルが現れると、データ０を受信し；現在のレベル信号に１個の高レベルの後で連続するＮ−１個の低レベルが現れると、データ１を受信する（ただし、前記Ｍと前記Ｎは、互いに異なり、かついずれも２以上の整数である）ためのデータ復号ユニットと、
を備えることを特徴とする光ファイバ伝送用のデータ受信装置。
【請求項７】
請求項5に記載のデータ発信装置を備えることを特徴とするデータ発信デバイス。
【請求項８】
障害指示デバイスであることを特徴とする請求項7に記載のデータ発信デバイス。
【請求項９】
請求項6に記載のデータ受信装置を備えることを特徴とするデータ受信デバイス。
【請求項１０】
障害指示デバイスであることを特徴とする請求項9に記載のデータ受信デバイス。
【発明の詳細な説明】
【技術分野】
【０００１】
本発明は、光ファイバ伝送技術の分野に属し、特に、光ファイバ伝送用のデータ発信・受信方法、装置及びデバイスに関する。
【背景技術】
【０００２】
光ファイバ伝送は、長距離、高速、及び取扱いが簡単であるなどの特徴があり、従来の長距離の有線伝送方法において、光ファイバ伝送の適用範囲がますます広くなる。光ファイバ伝送の方法は、データの高速伝送に適用されることが多いが、データの伝送環境が低速の場合、光ファイバ自分の特性により、連続する２値データの１が現れると、光ファイバ信号にジッターが発生して、データを収集する時データの歪みが発生し、データの正確な伝送ができない。
【０００３】
今までの上記問題の解決方法については、伝送データに連続的に現れる１の個数の最大限を２にするために、マンチェスタ符号化方式を採用したが、障害指示器などの適用例には、多チャンネルによる単線式データ伝送が使われるので、データ両端にあるクロックのばらつきのデータ伝送への影響をできるだけ低減するために、一般的には、伝送速度がより低く（例えば、４ｋｂｉｔ／ｓ）にされて、マンチェスタ符号化によるデータ伝送中の光ファイバ信号にもジッターが現れる。
【発明の概要】
【発明が解決しようとする課題】
【０００４】
本発明の目的は、従来の光ファイバにおける、低ビットレートのデータ伝送中、光ファイバ信号にジッターが発生しやすい問題を解決するように、データ発信方法を提供することである。
【課題を解決するための手段】
【０００５】
本発明は、下記のように実現される。
伝送待ちデータを検知することと、
伝送待ちデータが０の場合、１ビット（ｂｉｔ）パルス幅を、高レベルである第１の部分と低レベルである後のＭ−１部分を含むＭ部分に符号化させ；伝送待ちデータが１である場合、１ｂｉｔのパルス幅を、高レベルである第１の部分と低レベルである後のＮ−１部分を含むＮ部分に符号化させる（ただし、上記Ｍと上記Ｎは、互いに異なり、かついずれも２以上の整数である）ことと、
符号化されたレベル信号を発信することと、
を備える光ファイバ伝送用のデータ発信方法。
【０００６】
本発明の他の目的は、
レベル信号を検知することと、
現在のレベル信号に１個の高レベルの後で連続するＭ−１個の低レベルが現れると、データ０を受信し；現在のレベル信号に１個の高レベルの後で連続するＮ−１個の低レベルが現れると、データ１を受信する（ただし、上記Ｍと上記Ｎは、互いに異なり、かついずれも２以上の整数である）ことと、
を備える光ファイバ伝送用のデータ受信方法を提供することである。
【０００７】
本発明のさらなる他の目的は、
伝送待ちデータを検知するためのデータ検知ユニットと、
検知された伝送待ちデータに応じてレベル信号を発信し、伝送待ちデータが０の場合、１ビット（ｂｉｔ）のパルス幅を、具体的にはレベル信号が高レベルの第１の部分と低レベルの後のＭ−１部分より構成されるＭ部分に符号化させ；伝送待ちデータが１の場合、１ｂｉｔのパルス幅を、具体的にはレベル信号が高レベルの第１の部分と低レベルの後のＮ−１部分より構成されるＮ部分に符号化させる（ただし、上記Ｍと上記Ｎは、互いに異なり、かついずれも２以上の整数である）ためのデータ符号化ユニットと、
符号化されたレベル信号を発信するための発信ユニットと、
を備える光ファイバ伝送用のデータ発信装置を提供することである。
【０００８】
本発明に係る実施例のさらなる他の目的は、
レベル信号を検知するための信号検知ユニットと、
現在のレベル信号に１個の高レベルの後で連続するＭ−１個の低レベルが現れると、データ０を受信し、現在のレベル信号に１個の高レベルの後で連続するＮ−１個の低レベルが現れると、データ１を受信する（ただし、上記Ｍと上記Ｎは、互いに異なり、かついずれも２以上の整数である）ためのデータ復号ユニットと、
を備える光ファイバ伝送用のデータ受信装置を提供することである。
【０００９】
本発明のさらなる他の目的は、上記のようなデータ発信装置を備えるデータ発信デバイスを提供することである。
【００１０】
本発明のさらなる他の目的は、上記のようなデータ受信装置を備えるデータ受信デバイスを提供することである。
【発明の効果】
【００１１】
本発明に係る実施例には、ビット（ｂｉｔ）幅を変化させる符号化方式を用いて伝送待ちの２値データを伝送し、すなわち、２値データの０と１に対して、パルス幅のビット数が同じである場合、異なるデータの桁数で符号化を行うことにより、データ伝送中、連続する二つの２値データの１がなく、光ファイバによる低ビットレートのデータ伝送における信号のジッター現象が回避される。
【図面の簡単な説明】
【００１２】
【図１】本発明に係る第一の実施例における光ファイバ伝送用のデータ発信方法を実現するフローチャートである。
【図２】本発明に係る第二の実施例における光ファイバ伝送用のデータ受信方法を実現するフローチャートである。
【図３】本発明に係る第三の実施例における光ファイバ伝送用のデータ発信装置の構成図である。
【図４】本発明に係る第四の実施例における光ファイバ伝送用のデータ受信装置の構成図である。
【発明を実施するための形態】
【００１３】
本発明に係る目的、技術手段及び利点をより分かりやすくなるように、以下、添付図面と実施例を参照して、本発明についてさらに具体的に説明する。ここで記述される具体的な実施例は、解釈用に過ぎなく、本発明がこれに限定されない。
【００１４】
本発明に係る実施例には、ビット（ｂｉｔ）幅を変化させる符号化方式を用いて伝送待ちの２値データを伝送し、すなわち、２値データの０と１に対して、パルス幅のビット数が同じである場合、異なるデータの桁数で符号化を行うことにより、データ伝送中、連続する二つの２値データの１がなく、光ファイバによる低ビットレートのデータ伝送における信号のジッター現象が回避される。
【００１５】
図１には、本発明に係る第一の実施例における光ファイバ伝送用のデータ発信方法を実現する流れを示し、その詳細は以下の通りである。
【００１６】
ステップＳ１０１において、伝送待ちデータを検知する。
【００１７】
本実施例には、伝送待ちデータが２値データの０又は１であり、かつ１桁の２値データが１ｂｉｔのパルス幅を占める。
【００１８】
ステップＳ１０２において、伝送待ちデータが０の場合、１ｂｉｔのパルス幅を、高レベルである第１の部分と低レベルである後のＭ−１部分とを含むＭ部分に符号化させ；伝送待ちデータが１の場合、１ｂｉｔのパルス幅を、高レベルである第１の部分と低レベルである後のＮ−１部分とを含むＮ部分に符号化させる（ただし、上記Ｍと上記Ｎは、互いに異なり、かついずれも２以上の整数である）。
【００１９】
ステップＳ１０３において、符号化されたレベル信号を発信する。
【００２０】
本実施例において、０と１に対して異なるｂｉｔビット幅で符号化させ、また最初のデータが１、後の若干のデータがともに０である符号化方式が採取されるので、データ伝送における連続する二つの１の発生が回避される。
【００２１】
本発明に係る好ましい実施例の一つとしては、具体的には、ステップＳ２０１において、伝送待ちデータが０の場合、１ｂｉｔのパルス幅を、高レベルである第１の部分と低レベルである後の部分を含む第２の部分に符号化させ、すなわち、２つのｂｉｔの１、０でデータ０を表し；伝送待ちデータが１の場合、１ｂｉｔのパルス幅を、高レベルである第１の部分と低レベルである後の第２の部分を含む第３の部分に符号化させ、すなわち３つのｂｉｔの１、０、０でデータ１を表すように構成される符号化方式で、データを伝送してもよい。
【００２２】
本発明に係る他の好ましい実施例としては、具体的に、ステップＳ２０１において、伝送待ちデータが０の場合、１ｂｉｔのパルス幅を、高レベルである第１の部分と低レベルである後の第２の部分を含む第３の部分に符号化させ、すなわち、３つのｂｉｔの１、０、０でデータ０を表し；伝送待ちデータが１の場合、１ｂｉｔのパルス幅を、高レベルである第１の部分と低レベルである後の部分を含む第２の部分に符号化させ、すなわち、２つのｂｉｔの１、０でデータ１を表すように構成される符号化方式で、伝送データを採用してもよい。
【００２３】
従って、本実施例には、上記の符号化方式により、検知された伝送待ちデータに応じて、対応するレベル信号を伝送することにより、データ伝送中に連続する二つの２値データの１の発生がなく、光ファイバによる低ビットレートのデータ伝送における信号のジッター現象の発生が回避される。
【００２４】
図２には、本発明に係る第二の実施例における光ファイバ伝送用のデータ受信方法を実現する流れを示し、この実施例は、本発明に係る第一の実施例を基にして、本発明に係る第一の実施例におけるデータ発信方法で符号化された伝送データを受信する方法であり、その詳細は以下の通りである。
【００２５】
ステップＳ２０１において、レベル信号を検知する。
【００２６】
ステップＳ２０２において、現在のレベル信号に１個の高レベルの後で連続するＭ−１個の低レベルが現れると、データ０を受信し；現在のレベル信号に１個の高レベルの後で連続するＮ−１個の低レベルが現れると、データ１を受信する（ただし、上記Ｍと上記Ｎは、互いに異なり、かついずれも２以上の整数である）。
【００２７】
本発明に係る好ましい実施例の一つとしては、二つのｂｉｔの１、０でデータ０を表し、３つのｂｉｔの１、０、０でデータ１を表す例には、Ｍ＝２、Ｎ＝３であり、現在のレベル信号に１個の高レベルの後で１個の低レベルしか現れないと、データ０を受信し；現在のレベル信号に１個の高レベルの後で連続する２個の低レベルが現れると、データ１を受信するようになる。
【００２８】
本発明の他の好ましい実施例としては、３つのｂｉｔの１、０、０でデータ０を表し、二つのｂｉｔの１、０でデータ１を表す例には、Ｍ＝３、Ｎ＝２であり、現在のレベル信号に１個の高レベルの後で１個の低レベルしか現れないと、データ１を受信し、現在のレベル信号に１個の高レベルの後で連続する２個の低レベルが現れると、データ０を受信するようになる。
【００２９】
図３には、本発明に係る第三の実施例における光ファイバ伝送用のデータ発信装置の構成を示し、説明のために、本実施例に関連しない部分を省略する。
【００３０】
図３に示すように、このデータ発信装置は、障害指示器などのデータ発信デバイスに配置されてもよいが、この障害指示器に限定されなく、また、
伝送待ちデータを検知するデータ検知ユニット３１と、
検知された伝送待ちデータに応じて、対応するレベル信号を発信し、伝送待ちデータが０の場合、１ビットｂｉｔのパルス幅を、高レベルである第１の部分と低レベルである後のＭ−１部分を含むＭ部分に符号化させ；伝送待ちデータが１の場合、１ｂｉｔのパルス幅を、高レベルである第１の部分と低レベルである後のＮ−１部分を含むＮ部分に符号化さる（ただし、上記Ｍと上記Ｎは、互いに異なり、かついずれも２以上の整数である）データ符号化ユニット３２と、
符号化されたレベル信号を発信するための発信ユニット３３と、
を備える。
【００３１】
図４には、本発明に係る第四の実施例における光ファイバ伝送用のデータ受信装置の構成を示し、説明のために、本実施例に関連しない部分を省略し、また、本実施例が、本発明に係る第三の実施例におけるデータ発信装置に基づいて実現される。
【００３２】
図４に示すように、このデータ受信装置は、障害監視センターなどのデータ受信デバイスに配置されてもよいが、この障害監視センターに限定されなく、また、
レベル信号を検知する信号検知ユニット４１と、
現在のレベル信号に１個の高レベルの後で連続するＭ−１個の低レベルが現れると、データ０を受信し；現在のレベル信号に１個の高レベルの後で連続するＮ−１個の低レベルが現れると、データ１を受信する（ただし、上記Ｍと上記Ｎは、互いに異なり、かついずれも２以上の整数である）データ復号ユニット４２と、
を備える。
【００３３】
本発明に係る実施例は、ビット（ｂｉｔ）幅を変化させる符号化手段を用いて伝送待ちの２値データを伝送し、すなわち、２値データの０と１に対して、パルス幅のビット数が同じである場合、異なるデータの桁数で符号化を行うことにより、データ伝送中に連続する二つの２値データの１があることがなく、光ファイバによる低ビットレートのデータ伝送における信号のジッター現象の発生が回避される。
【００３４】
上記は本発明に係る好ましい実施例に過ぎなく、本発明がこれに限定されない。本発明の精神と要旨を逸脱しない範囲での修正、等価の変更及び改良などは、いずれも本発明の範囲に含まれる。
【図１】
2014531162.tif 000003
【図２】
2014531162.tif 000004
【図３】
2014531162.tif 000005
【図４】
2014531162.tif 000006
【国際調査報告】
2014531162.tif 000007
2014531162.tif 000008
2014531162.tif 000009
2014531162.tif 000010